(57)【特許請求の範囲】
【請求項１】
車体メンバとルーフライニングの側辺部との間のスペースに設置されるカーテンエアバッグの折畳体と、該カーテンエアバッグを膨張させるためのインフレータとを備え、
該カーテンエアバッグは、ピラーガーニッシュの上方に位置する部分に、カーテンエアバッグ本体部から上方へ延出したガス導入部を備え、インフレータからのガスが該ガス導入部からカーテンエアバッグ本体部に導入されるよう構成されているカーテンエアバッグ装置において、
該カーテンエアバッグが折り畳まれた状態において、該カーテンエアバッグ本体部の折畳体の車体メンバ側の側面に該ガス導入部が重ね合わされているカーテンエアバッグ装置であって、
該カーテンエアバッグ本体部の折畳体は、下部をロール折りとし、上部を蛇腹折りとしたものであり、
このロール折りの部分の上側に蛇腹折りの部分が重なっており、
前記ガス導入部は、前記カーテンエアバッグ本体部の折畳体の下側にまで回り込んでいることを特徴とするカーテンエアバッグ装置。
【請求項２】
車体メンバとルーフライニングの側辺部との間のスペースに設置されるカーテンエアバッグの折畳体と、該カーテンエアバッグを膨張させるためのインフレータとを備え、
該カーテンエアバッグは、ピラーガーニッシュの上方に位置する部分に、カーテンエアバッグ本体部から上方へ延出したガス導入部を備え、インフレータからのガスが該ガス導入部からカーテンエアバッグ本体部に導入されるよう構成されているカーテンエアバッグ装置において、
該カーテンエアバッグが折り畳まれた状態において、該カーテンエアバッグ本体部の折畳体の車体メンバ側の側面に該ガス導入部が重ね合わされているカーテンエアバッグ装置であって、
該カーテンエアバッグ本体部の折畳体は、下部をロール折りとし、上部を蛇腹折りとしたものであり、
このロール折りの部分の上側に蛇腹折りの部分が重なっており、
前記ガス導入部の基端側に、車両前後方向の幅Ｗが該ガス導入部の上端側よりも大きい大幅部が設けられており、該大幅部の幅Ｗは、ピラーガーニッシュの上端部の車両前後方向の幅の１．０〜３．０倍であることを特徴とするカーテンエアバッグ装置。
【請求項３】
請求項１又は２において、該ガス導入部は、カーテンエアバッグ本体部の折畳体の該側面の下部で折り返されることにより、少なくとも２層に折り重なった状態となってカーテンエアバッグ本体部の該側面に沿って配置されていることを特徴とするカーテンエアバッグ装置。
【請求項４】
請求項１ないし３のいずれか１項において、カーテンエアバッグ本体部の折畳体とガス導入部とが結束具で結束されていることを特徴とするカーテンエアバッグ装置。
【請求項５】
請求項１ないし４のいずれか１項において、前記カーテンエアバッグ本体部の上端から、カーテンエアバッグが膨張完了した状態において、ピラーガーニッシュの上端と同じ高さかそれよりも若干低い高さまでの部分が蛇腹折りされていることを特徴とするカーテンエアバッグ装置。
【請求項６】
請求項１ないし５のいずれか１項において、車両の右側に配置されるカーテンエアバッグ装置にあっては、前記ロール折りは車両前方側から見て時計回りとなっており、
車両の左側に配置されるカーテンエアバッグ装置にあっては、前記ロール折りは車両前方側から見て反時計回りとなっていることを特徴とするカーテンエアバッグ装置。
【請求項７】
請求項１ないし６のいずれか１項のカーテンエアバッグ装置のカーテンエアバッグ折畳体が車体メンバとルーフライニングの側辺部との間のスペースに配置され、前記ガス導入部がピラーガーニッシュの上方部分に配置されている車両。
【発明の詳細な説明】
【技術分野】
【０００１】
本発明は、自動車の側面衝突や横転時等にサイドドアの窓等に沿ってカーテンエアバッグを膨張展開させるカーテンエアバッグ装置と、このカーテンエアバッグ装置を備えた車両に係り、特にカーテンエアバッグがピラーガーニッシュの上部を乗り越えて車室内に展開するよう構成されたカーテンエアバッグ装置及び車両に関する。
【背景技術】
【０００２】
自動車乗員頭部の拘束用のエアバッグとして、自動車の室内の天井部と側面部との交叉隅部付近に配置され、ガス導入口から導入されるガスによってサイドドアの窓等に沿って膨張するよう構成されたカーテンエアバッグがある。
【０００３】
カーテンエアバッグ装置を備えた自動車にあっては、自動車が側面衝突を受けたり、横転した場合などには該カーテンエアバッグが車両室内の側面（例えばドアやピラーなど）に沿って車体下方に向って膨張し、乗員の頭部を拘束すると共に、窓が開いているときには乗員が車外に投げ出されることを防止する。
【０００４】
このようなカーテンエアバッグ装置として、ルーフサイドレールとルーフライニングの側辺部との間のスペースにカーテンエアバッグの折畳体が配置されており、該ルーフライニングの側辺部の下縁がピラーガーニッシュの上端に係合しているものが公知である（特許文献１：特開２００７−６９７２１）。
【０００５】
特許文献１のカーテンエアバッグ装置において、インフレータが作動すると、カーテンエアバッグの前後方向の中央付近の上縁に設けられたガス導入部からガスがカーテンエアバッグ内に導入され、カーテンエアバッグが膨張展開する。このカーテンエアバッグは、ルーフライニングの側辺部を車室内側に押し開けて車室内に膨張展開する。
【０００６】
この車室内側に膨張展開しようとするカーテンエアバッグがピラーガーニッシュの上端と干渉しないようにするために、カーテンエアバッグの本体部の上縁部に小バッグ部を膨出状に取り付けることが特許文献１に記載されている。カーテンエアバッグ折畳体が膨張するときに、該小バッグ部（特許文献１では「上縁側バッグ部」と称されている。）が膨張してカーテンエアバッグ本体部を室内側に押圧する。これにより、膨張展開するカーテンエアバッグは、室内側に移動するようにしてピラーガーニッシュの上端を乗り越え、車室内に展開する。
【０００７】
特開２０００−５２９０７（特許文献２）には、インフレータからのガスをカーテンエアバッグの各膨張部に導くためのガス導入路が該カーテンエアバッグの上縁部に沿って前後方向に延設されており、カーテンエアバッグを折り畳むに際しては、該カーテンエアバッグのうちガス導入路よりも下端側の部分を前後方向に細長い折畳体とした後、この折畳体の室外側の面にガス導入路を折り重ねることが記載されている。
【０００８】
特許文献２にあっては、インフレータがガス噴出作動した場合、このインフレータからのガスが最初にガス導入路に流入して該ガス導入路が膨張することにより、該ガス導入路よりもエアバッグ下端側部分の折畳体が、この膨張したガス導入路によって室内側に押圧される。この結果、膨張展開するカーテンエアバッグは、室内側に移動するようにしてピラーガーニッシュの上端を乗り越え、車室内に展開する。
【先行技術文献】
【特許文献】
【０００９】
【特許文献１】特開２００７−６９７２１
【特許文献２】特開２０００−５２９０７
【発明の概要】
【発明が解決しようとする課題】
【００１０】
上記特許文献１では、小バッグ部をカーテンエアバッグ本体部に縫着しており、カーテンエアバッグの製造に手間がかかる。また、小バッグ部を別個に製作するので、コスト高でもある。
【００１１】
上記特許文献２では、インフレータからのガスが最初に導入されるガス導入路を、それよりもエアバッグ下端側部分の折畳体の室外側に配置しておき、このガス導入路が最初に膨張することにより、カーテンエアバッグ折畳体が室内側に押圧されるように構成しているので、エアバッグ押圧用の小バッグ部を別途設けることが不要である。
【００１２】
しかしながら、このガス導入路内におけるガス流通量は、カーテンエアバッグの各膨張部への必要ガス供給量等に基づいて決定されるものであるので、例えば膨張したガス導入路によるカーテンエアバッグ折畳体の室内側への押圧力や室内側への移動量を調整するために、該ガス導入路内のガス流通量やピラー部付近における流路径等を調整しようとすると、カーテンエアバッグ全体の展開に影響（例えばカーテンエアバッグ全体が均等に膨張しにくくなるなど）を及ぼす可能性がある。そのため、特許文献２では、膨張したガス導入路によるカーテンエアバッグ折畳体の室内側への押圧力や室内側への移動量を調整するのが難しい可能性がある。
【００１３】
また、特許文献２では、このガス導入路は、カーテンエアバッグのインフレータ接続口から、このインフレータ接続口から最も離隔した膨張部まで、該カーテンエアバッグの上縁部に沿って前後方向に長く延在したものとなっているので、カーテンエアバッグの折り畳みに際し、ガス導入路のみを残してカーテンエアバッグを前後方向に細長く折り畳み、その後、残ったガス導入路の全体をこの折畳体の室外側の面に折り重ねるために、精緻な製造管理を要する。
【００１４】
本発明は、膨張展開するカーテンエアバッグが、カーテンエアバッグ本体部の膨張力だけでなくガス導入部の膨張による付勢力を受けてルーフライニングを車室側へ押し開けて車室内に膨張展開するよう構成されており、且つ膨張したガス導入部によるカーテンエアバッグ折畳体の室内側への押圧力や室内側への移動量の調整を容易に行うことが可能であり、カーテンエアバッグの折り畳み作業も容易に行うことが可能なカーテンエアバッグ装置を提供することを目的とする。
【課題を解決するための手段】
【００１５】
請求項１のカーテンエアバッグ装置は、車体メンバとルーフライニングの側辺部との間のスペースに設置されるカーテンエアバッグの折畳体と、該カーテンエアバッグを膨張させるためのインフレータとを備え、該カーテンエアバッグは、ピラーガーニッシュの上方に位置する部分に、カーテンエアバッグ本体部から上方へ延出したガス導入部を備え、インフレータからのガスが該ガス導入部からカーテンエアバッグ本体部に導入されるよう構成されているカーテンエアバッグ装置において、該カーテンエアバッグが折り畳まれた状態において、該カーテンエアバッグ本体部の折畳体の車体メンバ側の側面に該ガス導入部が重ね合わされているカーテンエアバッグ装置であって、該カーテンエアバッグ本体部の折畳体は、下部をロール折りとし、上部を蛇腹折りとしたものであり、このロール折りの部分の上側に蛇腹折りの部分が重なっており、前記ガス導入部は、前記カーテンエアバッグ本体部の折畳体の下側にまで回り込んでいることを特徴とするものである。
請求項２のカーテンエアバッグ装置は、車体メンバとルーフライニングの側辺部との間のスペースに設置されるカーテンエアバッグの折畳体と、該カーテンエアバッグを膨張させるためのインフレータとを備え、該カーテンエアバッグは、ピラーガーニッシュの上方に位置する部分に、カーテンエアバッグ本体部から上方へ延出したガス導入部を備え、インフレータからのガスが該ガス導入部からカーテンエアバッグ本体部に導入されるよう構成されているカーテンエアバッグ装置において、該カーテンエアバッグが折り畳まれた状態において、該カーテンエアバッグ本体部の折畳体の車体メンバ側の側面に該ガス導入部が重ね合わされているカーテンエアバッグ装置であって、該カーテンエアバッグ本体部の折畳体は、下部をロール折りとし、上部を蛇腹折りとしたものであり、このロール折りの部分の上側に蛇腹折りの部分が重なっており、前記ガス導入部の基端側に、車両前後方向の幅Ｗが該ガス導入部の上端側よりも大きい大幅部が設けられており、該大幅部の幅Ｗは、ピラーガーニッシュの上端部の車両前後方向の幅の１．０〜３．０倍であることを特徴とするものである。
【００１６】
請求項３のカーテンエアバッグ装置は、請求項１又は２において、該ガス導入部は、カーテンエアバッグ本体部の折畳体の該側面の下部で折り返されることにより、少なくとも２層に折り重なった状態となってカーテンエアバッグ本体部の該側面に沿って配置されていることを特徴とするものである。
【００１７】
請求項４のカーテンエアバッグ装置は、請求項１ないし３のいずれか１項において、カーテンエアバッグ本体部の折畳体とガス導入部とが結束具で結束されていることを特徴とするものである。
【００１８】
本発明の車両は、本発明のカーテンエアバッグ装置のカーテンエアバッグ折畳体が車体メンバとルーフライニングの側辺部との間のスペースに配置され、前記ガス導入部がピラーガーニッシュの上方部分に配置されているものである。
【発明の効果】
【００１９】
本発明のカーテンエアバッグ装置及び車両では、膨張展開するカーテンエアバッグが、カーテンエアバッグ本体部の膨張力だけでなくガス導入部の膨張による付勢力の助勢を受けてルーフライニングを車室側へ押し開けて車室内に膨張展開する。
【００２０】
即ち、本発明のカーテンエアバッグ装置では、インフレータが作動すると、インフレータからのガスがガス導入部からカーテンエアバッグ本体部内に導入される。カーテンエアバッグが折り畳まれた状態において、このガス導入部は、カーテンエアバッグ本体部の折畳体と車体メンバとの間に配置されているので、ガス導入部が膨張すると、カーテンエアバッグ本体部の折畳体が室内側に押されて移動する。このようにして、カーテンエアバッグ本体部の膨張力と、ガス導入部がカーテンエアバッグ本体部を車室内方へ押圧する力とが重畳してルーフライニングの側辺部に作用し、ルーフライニングの側辺部が車室内方へ押し開かれ、カーテンエアバッグが車室内に膨張展開する。
【００２１】
本発明では、カーテンエアバッグを折り畳むに際しては、カーテンエアバッグ本体部から上方に延出したガス導入部を該カーテンエアバッグ本体部の折畳体の室外側に折り重ねるように構成しているので、上記特許文献２のようにカーテンエアバッグ本体部の上縁部に沿って前後方向に長く延設されたガス導入路を、それよりもエアバッグ下端側部分の折畳体の室外側に折り重ねる場合に比べて、カーテンエアバッグの折り畳み作業を容易に行うことができる。
【００２２】
本発明では、インフレータからのガスは、このガス導入部を通ってカーテンエアバッグ本体部内に流入し、該カーテンエアバッグ本体部内のガス導入路を通って各膨張部に供給される。本発明にあっては、このガス導入部がカーテンエアバッグ本体部の折畳体と車体メンバとの間で膨張することにより、カーテンエアバッグ本体部の折畳体が室内側へ押圧されるので、このガス導入部のガス流通量や太さ、長さ等を調整することにより、膨張したガス導入部によるカーテンエアバッグ本体部の折畳体の室内側への押圧力や室内側への移動量を調整することができる。従って、このカーテンエアバッグ本体部の折畳体の室内側への押圧力や室内側への移動量を調整するために、カーテンエアバッグ本体部内のガス導入路のガス流通量やピラー部付近における流路径等を調整する必要がない。これにより、容易に、且つカーテンエアバッグ全体の展開に影響を及ぼすことなく、膨張したガス導入部によるカーテンエアバッグ本体部の折畳体の室内側への押圧力や室内側への移動量を調整することができる。
【００２３】
請求項２のカーテンエアバッグ装置では、ガス導入部が２層又はそれ以上に折り返されているので、ガス導入部が膨張するときにカーテンエアバッグ本体部を室内側へ押す力が大きくなる。
【００２４】
請求項３のカーテンエアバッグ装置では、ガス導入部がカーテンエアバッグ本体部の折畳体の側面に折り重なった状態に保形される。
【図面の簡単な説明】
【００２５】
【図１】実施の形態に係るカーテンエアバッグ装置の説明図である。
【図２】実施の形態に係るカーテンエアバッグ装置の断面図である。
【図３】実施の形態に係るカーテンエアバッグ装置の一部の斜視図である。
【図４】実施の形態に係るカーテンエアバッグ装置を備えた車両の断面図である。
【図５】カーテンエアバッグのガス導入部付近の側面図である。
【図６】実施の形態に係るカーテンエアバッグ装置を備えた車両の断面図である。
【図７】カーテンエアバッグ装置の作動を説明する断面図である。
【図８】カーテンエアバッグの変形例を示す側面図である。
【図９】カーテンエアバッグの別の折り畳み方法を示す断面図である。
【図１０】別の実施の形態に係るカーテンエアバッグの側面図である。
【発明を実施するための形態】
【００２６】
以下、図面を参照して本発明の形態について説明する。第１図は本発明の一例に係るカーテンエアバッグ装置を示すものであり、（ａ）図は折り畳まれたカーテンエアバッグの側面図、（ｂ）図は膨張展開したカーテンエアバッグの側面図、（ｃ）、（ｄ）図は（ｂ）図のＣ−Ｃ線、Ｄ−Ｄ線断面図である。第２図（ａ）は第１図（ａ）のIIａ−IIａ線に沿う断面図、第２図（ｂ）は第１図（ａ）のIIｂ−IIｂ線に沿う断面図、第３図はカーテンエアバッグ折畳体の一部の斜視図、第４図はこのカーテンエアバッグ装置を備えた車両の右側Ｂピラー上部付近の車体幅方向に沿う縦断面図であり、（ａ）図はカーテンエアバッグの膨張前の状態を示し、（ｂ）図はカーテンエアバッグの膨張後の状態を示している。なお、第４図（ａ），（ｂ）は、カーテンエアバッグの折畳体を車両の右側のルーフサイド部に沿って配置した態様を示している。第５図は、このカーテンエアバッグのガス導入部付近の側面図である。第６図は、カーテンエアバッグの折畳体を車両の左側のルーフサイド部に沿って配置した態様を示す、車両の左側Ｂピラー上部付近の車体幅方向に沿う縦断面図である。以下、前後方向、左右方向及び上下方向は、このカーテンエアバッグ装置が設置された車体の前後方向、左右方向及び上下方向と合致する。
【００２７】
この実施の形態では、カーテンエアバッグ１が前後方向に細長く折り畳まれた状態で結束具２で結束されて保形され、自動車の車体のルーフサイド部１０に沿って配置されている。このカーテンエアバッグ１は、自動車が側面衝突を受けたり横転したときなどにインフレータ３からのガスにより膨らみ出し、ドアや各ピラーなどの車室内の側面に沿って車体下方に向って膨張展開する。このカーテンエアバッグ１の前端部及び上縁にはカーテンエアバッグ１の車体への取付部として耳部１ａが所定間隔をおいて設けられており、この耳部１ａがルーフサイド部１０に留め付けられている。なお、最前端側の耳部１ａはＡピラーに留め付けられる。
【００２８】
カーテンエアバッグ１の本体部１Ａの上辺の長手方向の中央部に、上方かつ斜め後方に延出する短い筒状のガス導入部１ｂが設けられ、このガス導入部１ｂの先端がガス導入口１ｃとなっている。インフレータ３の先端はこのガス導入口１ｃに差し込まれ、バンド３ａにより結束されている。このインフレータ３は、取付部材（図示略）によりルーフサイド部１０に固定されている。
【００２９】
第４図（ａ）の通り、ルーフサイド部１０の車両室内側にはルーフサイドガーニッシュ１１が設けられており、カーテンエアバッグ１の折畳体及びインフレータ３が該ルーフサイドガーニッシュ１１によって覆われている。
【００３０】
第１図（ｂ）〜（ｄ）の通り、このカーテンエアバッグ１は、該車室側面と車室内とにそれぞれ臨む２面を構成するほぼ同一形状の２枚のシート５，５を重ね合わせ、これらシート５，５同士を線状結合部６及び環状結合部７によって結合することにより、膨張部８及び非膨張部９を形成したものである。
【００３１】
各線状結合部６及び各環状結合部７は、シート５，５同士を気密に結合し、かつカーテンエアバッグ１の内圧が設計上限圧力にまで上昇してもシート５，５同士が離反しないような強固な結合手段（例えば、強度の高い縫糸による縫合や、接着力の高い接着剤による接着、或いは溶着。）により形成されている。
【００３２】
線状結合部６は、カーテンエアバッグ１を略周回するように延在していると共に、一部の線状結合部６は膨張部８内を複数の小室状部に区分するように延在している。環状結合部７は、線状結合部６の端部に設けられている。
【００３３】
この実施の形態では、非膨張部９を挟んでカーテンエアバッグ本体部１Ａの前部側に前側膨張部８Ａが設けられ、後部側に後側膨張部８Ｂが設けられている。また、カーテンエアバッグ本体部１Ａの上縁に沿って、これらの膨張部８Ａ，８Ｂにそれぞれインフレータ３からのガスを導くためのガス導入路８Ｃが設けられている。このガス導入路８Ｃは、カーテンエアバッグ本体部１Ａの上縁の前端付近から後端付近にかけて延設されている。このガス導入路８Ｃの前後方向の途中部に前記ガス導入部１ｂの基端（下端）側が連通している。
【００３４】
このカーテンエアバッグ１は、車体の前後方向に延在するように細長く折り畳まれる。第２図（ａ），（ｂ）の通り、この実施の形態では、カーテンエアバッグ１の本体部１Ａ（即ちガス導入部１ｂ以外の部分）のうち下部をロール折りとし、本体部１Ａの上部を蛇腹折りとしている。カーテンエアバッグ１を折り畳むには、まず本体部１Ａの下部をロール折りした後、その上側に上部を蛇腹折りして重ねるのが好ましい。
【００３５】
カーテンエアバッグ本体部１Ａをロール折りする場合、カーテンエアバッグ１の折畳体が車室の右側の側面に沿って配置される場合と、左側の側面に沿って配置される場合とでロールの向きを逆にすることが好ましい。特に、本発明では、カーテンエアバッグ本体部１Ａをロール折りする場合、該カーテンエアバッグ本体部１Ａのうち、展開完了時に車室側面に臨む面（車外側の面）をロールの中心側として、該カーテンエアバッグ本体部１Ａをその下端側から上端側に向って（蛇腹折り部分との境界部まで）ロール折りすることが好ましい。具体的には、以下の通りである。
【００３６】
この実施の形態では、カーテンエアバッグ１の折畳体は、第４図（ａ）の通り、車両の右側のルーフサイド部１０に沿って配置されている。この場合、カーテンエアバッグ１を折り畳むに際し、カーテンエアバッグ本体部１Ａの下部は、第２図（ａ），（ｂ）及び第４図（ａ）の通り、車両前方側から見て時計回りにロール折りされていることが好ましい。このように折り畳んだ場合、カーテンエアバッグ１が膨張し、カーテンエアバッグ本体部１Ａのロール折り部分が車室内において展開するときには、このロール折り部分が車室の右側面に接近するように転がりながら下方へ展開するため、カーテンエアバッグ本体部１Ａは、その直近の車室側面から過度に離反することなく、該車室側面に沿って下方に展開するようになる。これとは逆に、カーテンエアバッグ１の折畳体が車両の左側のルーフサイド部１０に沿って配置されるものである場合には、第６図の通り、カーテンエアバッグ本体部１Ａの下部は、車両前方側から見て反時計回りにロール折りされていることが好ましい。なお、第６図の構成は、第４図（ａ）と左右が逆になっていること以外は、第４図（ａ）と同様である。
【００３７】
上記のようにして本体部１Ａを細長い折畳体とした後、この折畳体の車体メンバ（ルーフサイド部１０）側の側面にガス導入部１ｂを折り重ねる。この実施の形態では、第２図（ａ）及び第３図の通り、カーテンエアバッグ本体部１Ａの折畳体の上縁からガス導入部１ｂを該折畳体の側面に沿わせて垂下させ、次いで折畳体の該側面の下縁付近でガス導入部１ｂを上方に折り返して再度折畳体側面に沿わせ、そのまま上方に延出させている。従って、本体部１Ａの折畳体の側面にガス導入部１ｂが２層に折り重なった状態で重ね合わされている。このように本体部１Ａの折畳体の車体メンバ側の側面にガス導入部１ｂが折り重ねられることにより、カーテンエアバッグ１の膨張時には、インフレータ３からガス導入部１ｂにガスが導入されて該ガス導入部１ｂが膨張したときに、この膨張したガス導入部１ｂに押されて本体部１Ａの折畳体が車室内側へ移動するようになる。
【００３８】
本体部１Ａの上縁からガス導入部１ｂの上端までの上下方向の長さＬ（第５図）を調整することにより、この膨張したガス導入部１ｂが本体部１Ａの折畳体を車室内側に押す押圧力（又はこの膨張したガス導入部１ｂに押されて本体部１Ａの折畳体が移動する移動距離）を調整することができる。例えば、ガス導入部１ｂの上下方向の長さＬを第１図（ｂ）よりも長くし、このガス導入部１ｂを、２層以上の４層、６層などの偶数層となるように折り重ねてもよい。このようにすることにより、膨張したガス導入部１ｂによって、より強力に本体部１Ａの折畳体が車室内側に押されると共に、この本体部１Ａの折畳体の車室内側への移動量も大きくなる。
【００３９】
このようにして折り畳んだカーテンエアバッグ１の折畳体を結束具２で結束し、保形する。この結束具２は、カーテンエアバッグ１が膨張するときには断裂するか又は結束を解く強度を有している。結束具２は、折畳体の長手方向に間隔をおいて複数個所に配置されている。第３図のように、ガス導入部１ｂの部分においても、結束具２が巻き付けられており、本体部１Ａの折畳体とガス導入部１ｂとが重ね合わされた状態にて保形されている。
【００４０】
このカーテンエアバッグ装置を搭載した車両の車体は、Ａピラー（図示略）、センタピラーとしてのＢピラー１２、Ｃピラー（図示略）及びルーフサイド部１０等を有している。第４図（ａ），（ｂ）の通り、Ｂピラー１２にはＢピラーガーニッシュ１３が装着されている。車体天井に沿ってルーフライニングの一部を構成するルーフサイドガーニッシュ１１が設けられている。Ｂピラーガーニッシュ１３の上端に対しルーフサイドガーニッシュ１１の下縁が係合している。Ｂピラーガーニッシュ１３の上端部の裏側には、Ｂピラーガーニッシュ１３とＢピラー１２との間のスペースを塞ぐための蓋状カバー１３ａが設けられている。
【００４１】
このように構成されたカーテンエアバッグ装置の作動について次に説明する。
【００４２】
車両が側突又は横転した場合、インフレータ３がガス噴出作動し、ガスがカーテンエアバッグ１に供給され、カーテンエアバッグ１が膨張を開始する。この場合、インフレータ３からのガスはまずガス導入部１ｂに流入してガス導入部１ｂを膨張させる。これにより、カーテンエアバッグ本体部１Ａの折畳体それ自身の膨張力とガス導入部１ｂの膨張圧力とが重畳してルーフサイドガーニッシュ１１の下縁を車室内方へ押圧する。そして、ルーフサイドガーニッシュ１１の下縁は第４図（ｂ）の矢印Ｂの如く車室内方へ開き出し、カーテンエアバッグ１がＢピラーガーニッシュ１３やサイドドアガラスに沿って矢印Ａの如く下方に膨張展開する。なお、第４図（ｂ）は、展開途中のカーテンエアバッグ１を概略的に示したものであり、カーテンエアバッグ本体部１Ａの折り目（第４図（ａ）に示したような、蛇腹折りを示すジグザグ状の線や、ロール折りを示す渦巻状の線）は、図示が省略されている。
【００４３】
この実施の形態では、カーテンエアバッグ１の本体部１Ａの折畳体の側面にガス導入部１ｂが２層に存在しているので、１層のガス導入部１ｂの膨張厚みの約２倍分だけ本体部１Ａの折畳体が室内側へ押圧移動されることになり、ルーフサイドガーニッシュ１１の下縁が大きく押し開けられる。カーテンエアバッグ１は、その後、膨張部８の全体が膨張し、ドアの窓部の全体を覆う位置まで下方へ膨張展開する。
【００４４】
このカーテンエアバッグ装置にあっては、カーテンエアバッグ１を折り畳むに際し、カーテンエアバッグ本体部１Ａから上方に延出したガス導入部１ｂを該カーテンエアバッグ本体部１Ａの折畳体の室外側に折り重ねるように構成しているので、上記特許文献２のようにカーテンエアバッグ本体部１Ａの上縁部に沿って前後方向に長く延設されたガス導入路８Ｃを、それよりもエアバッグ下端側部分の折畳体の室外側に折り重ねる場合に比べて、カーテンエアバッグ１の折り畳み作業を容易に行うことができる。
【００４５】
このカーテンエアバッグ装置では、インフレータ３からのガスは、このガス導入部１ｂを通ってカーテンエアバッグ本体部１Ａ内に流入し、該カーテンエアバッグ本体部１Ａ内のガス導入路８Ｃを通って各膨張部８Ａ，８Ｂに供給される。このカーテンエアバッグ装置にあっては、このガス導入部１ｂがカーテンエアバッグ本体部１Ａの折畳体とルーフサイド部１０との間で膨張することにより、カーテンエアバッグ本体部１Ａの折畳体が室内側へ押圧されるので、このガス導入部１ｂのガス流通量や太さ、長さ等を調整することにより、膨張したガス導入部１ｂによるカーテンエアバッグ本体部１Ａの折畳体の室内側への押圧力や室内側への移動量を調整することができる。従って、このカーテンエアバッグ本体部１Ａの折畳体の室内側への押圧力や室内側への移動量を調整するために、カーテンエアバッグ本体部１Ａ内のガス導入路８Ｃのガス流通量やピラー部付近における流路径等を調整する必要がない。これにより、容易に、且つカーテンエアバッグ１全体の展開に影響を及ぼすことなく、膨張したガス導入部１ｂによるカーテンエアバッグ本体部１Ａの折畳体の室内側への押圧力や室内側への移動量を調整することができる。
【００４６】
上記実施の形態は本発明の一例であり、本発明はこれに限定されるものではない。例えば、上記実施の形態ではカーテンエアバッグ本体部１Ａの下部をロール折りとし、上部を蛇腹折りとしたが、これ以外の折り方としてもよい。ただし、カーテンエアバッグ本体部１Ａの下部をロール折りとし、上部を蛇腹折りとした場合、カーテンエアバッグ本体部１Ａの膨張時における展開速度はロール折りよりも蛇腹折りの方が早いので、カーテンエアバッグ本体部１Ａの折畳体がガス導入部１ｂにより室内側へ押圧移動されることと相俟って、カーテンエアバッグ本体部１Ａを速やかに車室内に展開させることが可能となる。また、仮にカーテンエアバッグ１の折畳体の設置位置からＢピラーガーニッシュ１３の上端までの距離が大きい場合でも、カーテンエアバッグ本体部１Ａの上部の蛇腹折り部分の長さを調整することにより、カーテンエアバッグ本体部１Ａの下部のロール折り部分を、速やかにＢピラーガーニッシュ１３の上端を乗り越えさせて車室内に展開させることが可能となる。
【００４７】
これについて、第７図を参照して詳しく説明する。第７図（ａ），（ｂ）は、それぞれ、第４図（ａ），（ｂ）と同様部分の断面図であり、第７図（ａ）は、カーテンエアバッグ１の膨張前の状態を示しており、第７図（ｂ）は、カーテンエアバッグ１が膨張し、本体部１Ａの上部の蛇腹折り部分が展開した状態を示している。
【００４８】
カーテンエアバッグ本体部１Ａの下部をロール折りとし、上部を蛇腹折りとする場合、該本体部１Ａのうち、その上端から、カーテンエアバッグ１が膨張完了した状態においてＢピラーガーニッシュ１３の上端と同じ高さかそれよりも若干低い高さに位置する部分までを、蛇腹折りすることが好ましい。即ち、カーテンエアバッグ１の折畳体からＢピラーガーニッシュ１３の上端までの距離の長さに応じて、本体部１Ａの上部の蛇腹折り部分の長さを調整することが好ましい。
【００４９】
例えば、第７図（ａ）では、Ｂピラーガーニッシュ１３の高さが第４図（ａ）よりも低くなっており、ルーフサイドガーニッシュ１１の側縁部は、第４図（ａ）よりも下方まで延在してＢピラーガーニッシュ１３の上端に係合している。即ち、第７図（ａ）においては、カーテンエアバッグ１の折畳体からＢピラーガーニッシュ１３の上端までの距離が第４図（ａ）よりも長くなっている。この場合、第４図（ａ）におけるＢピラーガーニッシュ１３の上端と第７図（ａ）におけるＢピラーガーニッシュ１３の上端との高さの差と同等かそれよりも若干大きな長さ分だけ、本体部１Ａのうち蛇腹折りされる部分の上下方向の長さを第４図（ａ）よりも長くする。
【００５０】
カーテンエアバッグ１が膨張し、この本体部１Ａの上部の蛇腹折り部分１Ｊ（第７図（ａ））が展開する場合、この蛇腹折り部分１Ｊは、下端側に向って一方向に伸び出すように展開する。本発明では、膨張したガス導入部１ｂによって本体部１Ａが車室内側に押されてから、該本体部１Ａの蛇腹折り部分１Ｊが展開を開始するので、この蛇腹折り部分１Ｊは、第７図（ｂ）の矢印Ａの通り、Ｂピラーガーニッシュ１３の上端よりも車室内側に向って展開するようになる。この蛇腹折り部分１Ｊの展開後の上下方向の長さは、カーテンエアバッグ１の折畳体からＢピラーガーニッシュ１３の上端までの距離と同等かそれよりも長くなっているので、この蛇腹折り部分１Ｊの展開は、第７図（ｂ）の通り、その下端（該蛇腹折り部分１Ｊとロール折り部分１Ｒの境界部）がＢピラーガーニッシュ１３の上端と同じ高さかそれよりも低い位置に達し、ロール折り部分１Ｒが十分にＢピラーガーニッシュ１３の上端を乗り越えて車室内に押し出されるまで持続する。これにより、該蛇腹折り部分１Ｊに引き続いてロール折り部分１Ｒが展開するときに、このロール折り部分１ＲがＢピラーガーニッシュ１３と全く擦れ合わずに展開することができるか、又はこのロール折り部分１ＲがＢピラーガーニッシュ１３と擦れ合いながら展開する時間を短くすることができるので、カーテンエアバッグ１の全体の展開に要する時間を短縮し、カーテンエアバッグ１の展開を早期化することが可能である。
【００５１】
なお、仮に本体部１Ａの蛇腹折り部分１Ｊの展開後の上下方向の長さがカーテンエアバッグ１の折畳体からＢピラーガーニッシュ１３の上端までの距離よりも短い場合には、ロール折り部分１Ｒが十分にＢピラーガーニッシュ１３の上端を乗り越えて車室内に押し出される前に、蛇腹折り部分１Ｊの展開が終了し、このロール折り部分１Ｒの展開が開始される。そのため、このロール折り部分１Ｒは、Ｂピラーガーニッシュ１３と擦れ合いながら車室内に展開することとなり、このロール折り部分１ＲとＢピラーガーニッシュ１３との間の摩擦抵抗により、このロール折り部分１Ｒの展開が遅くなるおそれがある。その結果、カーテンエアバッグ１の全体の展開に要する時間が長くなり、カーテンエアバッグ１の展開が遅れるおそれがある。
【００５２】
上記実施の形態では、ガス導入部１ｂはＢピラーの上方に配置されているが、ガス導入部１ｂの配置はこれに限定されない。また、上記実施の形態では、カーテンエアバッグ本体部１Ａにガス導入部１ｂが１個だけ連なっているが、ガス導入部１ｂの個数もこれに限定されない。例えば、第８図（ａ）のカーテンエアバッグ１’のように、Ｃピラーの上方部にガス導入部１ｂが配置されてもよい。第８図（ｂ）のカーテンエアバッグ１’’のように、Ａピラー上方部にガス導入部１ｂが配置されてもよい。なお、第８図（ｂ）では、ガス導入部１ｂは、カーテンエアバッグ本体部１Ａの上辺部から上方かつ斜め前方に延出しているが、これとは逆に、該本体部１Ａの上辺部から上方かつ斜め後方に延出していてもよい。ガス導入部１ｂがＢピラー上方部やＣピラー上方部など、他のピラーの上方部に配置されている場合にも、ガス導入部１ｂは、本体部１Ａの上辺部から上方かつ斜め前方に延出していてもよい。第８図（ｃ）のカーテンエアバッグ１’’’のように、ガス導入部１ｂは、Ｂピラーの上方部とＣピラーの上方部など複数のピラーの上方部に設けられてもよい。上記カーテンエアバッグ１’，１’’，１’’’のその他の構成は、第１図（ａ）〜（ｃ）のカーテンエアバッグ１と同様であり、第８図（ａ）〜（ｃ）において第１図（ａ）〜（ｃ）と同一符号は同一部分を示している。図示は省略するが、Ａピラー上方部と他のピラーの上方部とにガス導入部１ｂが設けられてもよい。３個以上のピラーの上方部にガス導入部１ｂが設けられてもよい。ガス導入部１ｂは、車体の構成に応じ、上記以外のピラーの上方に配置されてもよい。
【００５３】
上記の実施の形態では、ガス導入部１ｂは、カーテンエアバッグ本体部１Ａの折畳体の車体メンバ側の側面にのみ折り重ねられているが、カーテンエアバッグ１が折り畳まれた状態におけるガス導入部１ｂの配置はこれに限定されない。例えば、第９図のように、本体部１Ａの折畳体の車体メンバ側の側面だけでなく下面にもガス導入部１ｂを折り重ねてもよい。なお、第９図はカーテンエアバッグ１の第２図（ａ）と同様部分における断面図である。第９図では、本体部１Ａを細長い折畳体とした後、この折畳体の車体メンバ側の側面の上縁からガス導入部１ｂをこの側面に沿わせて垂下させ、次いで、ガス導入部１ｂをこの側面から折畳体の下側に回り込ませて該折畳体の下面に沿わせ、次いで、折畳体の下面の室内側の端縁付近でガス導入部１ｂを車体メンバ側に折り返して再度折畳体の下面及び車体メンバ側の側面に沿わせ、そのまま上方に延出させている。このように本体部１Ａの折畳体の車体メンバ側の側面から下面にかけてガス導入部１ｂが折り重ねられることにより、カーテンエアバッグ１の膨張時には、インフレータ３からガス導入部１ｂにガスが導入されて該ガス導入部１ｂが膨張したときに、この膨張したガス導入部１ｂがより強く本体部１Ａの折畳体を車室内側へ押すようになる。なお、第９図では、ガス導入部１ｂは、本体部１Ａの折畳体の車体メンバ側の側面及び下面に連続して２層に折り重ねられているが、４層や６層など、２層よりも多い偶数層に折り重ねられてもよい。図示は省略するが、例えば本体部１Ａの折畳体の上面側にもガス導入部１ｂを折り重ねてもよい。
【００５４】
第１０図は別の実施の形態に係るカーテンエアバッグ１Ｂの膨張展開完了時の側面図である。
【００５５】
このカーテンエアバッグ１Ｂにおいても、前述の第１図（ａ）〜（ｃ）のカーテンエアバッグ１と同様に、ガス導入部１ｂは、Ｂピラー１２の上方部に配置されている。この実施の形態では、第１０図の通り、このガス導入部１ｂの基端（下端）側に、前後方向（車両前後方向。以下、同様。）の幅Ｗが先端（上端）側よりも大きくなった大幅部１ｄが設けられている。この大幅部１ｄの下端側が、前後方向の全幅にわたって、カーテンエアバッグ本体部１Ａの上縁のガス導入路８Ｃの前後方向の途中部に連通している。
【００５６】
この大幅部１ｄの前後方向の幅Ｗは、Ｂピラー１２に装着されたＢピラーガーニッシュ１３（図示略）の上端部の前後方向の幅よりも大きなものとなっている。この大幅部１ｄの前後方向の幅Ｗは、Ｂピラーガーニッシュ１３の上端部の前後方向の幅の１．０〜３．０倍特に１．５〜２．５倍程度であることが好ましい。また、この大幅部１ｄは、カーテンエアバッグ１Ｂが車両に設置された状態において、前端側がＢピラーガーニッシュ１３の上端部の前縁よりも０〜１５０ｍｍ特に２０〜１００ｍｍ程度、前方側へ張り出し、後端側がＢピラーガーニッシュ１３の上端部の後縁よりも０〜１５０ｍｍ特に２０〜１００ｍｍ程度、後方側へ張り出すように配置されていることが好ましい。この大幅部１ｄの上下方向の幅は、ガス導入部１ｂの全体の上下方向の長さＬ（第５図参照）の２０〜７０％特に３０〜５０％程度であることが好ましい。
【００５７】
このカーテンエアバッグ１Ｂのその他の構成は、前述の第１図（ａ）〜（ｃ）のカーテンエアバッグ１と同様であり、第１０図において第１図（ａ）〜（ｃ）と同一符号は同一部分を示している。
【００５８】
この実施の形態でも、カーテンエアバッグ１Ｂは、カーテンエアバッグ本体部１Ａが前後方向に細長い折畳体とされた後、ガス導入部１ｂがこのカーテンエアバッグ本体部１Ａの室外側の面に折り重ねされ、結束バンド２によって結束される。この際、ガス導入部１ｂは、カーテンエアバッグ本体部１Ａの上縁と略同高さの前後方向の折り線Ｆ（第１０図）に沿って大幅部１ｄの下端から室外側へ折り返される。これにより、該大幅部１ｄがカーテンエアバッグ本体部１Ａの折畳体の室外側の面に重なる。
【００５９】
このカーテンエアバッグ１Ｂのその他の折り畳み方法、並びにこのカーテンエアバッグ１Ｂの折畳体を備えたカーテンエアバッグ装置の構成は、前述の実施の形態と同様である。
【００６０】
このカーテンエアバッグ１Ｂの折畳体を備えたカーテンエアバッグ装置にあっても、車両が側突又は横転した場合、インフレータ３がガス噴出作動し、ガスがカーテンエアバッグ１Ｂに供給され、カーテンエアバッグ１Ｂが膨張を開始する。この場合、インフレータ３からのガスはまずガス導入部１ｂに流入してガス導入部１ｂを膨張させる。これにより、カーテンエアバッグ本体部１Ａの折畳体それ自身の膨張力とガス導入部１ｂの膨張圧力とが重畳してルーフサイドガーニッシュ１１の下縁を車室内方へ押圧する。そして、ルーフサイドガーニッシュ１１の下縁が車室内方へ開き出し、カーテンエアバッグ１ＢがＢピラーガーニッシュ１３の上端部を乗り越えて車室内に展開する。
【００６１】
この際、ガス導入部１ｂの基端側において、大幅部１ｄがＢピラーガーニッシュ１３の上端部よりも前後方向に幅広く膨張するため、カーテンエアバッグ本体部１Ａの折畳体は、この膨張した大幅部１ｄにより、Ｂピラーガーニッシュ１３の真上部分だけでなく、それよりも前方側部分及び後方側部分も室内側へ押圧される。これにより、カーテンエアバッグ本体部１Ａの折畳体のピラーガーニッシュ１３上方部分が前後に余裕を持って室内側へ移動するため、カーテンエアバッグ本体部１Ａの折畳体が、より確実にピラーガーニッシュ１３の上端部を乗り越えて車室内に展開するようになる。
【００６２】
また、このようにガス導入部１ｂに大幅部１ｄを設けることにより、ガス導入部１ｂが膨張したときに、より大きな力でカーテンエアバッグ本体部１Ａの折畳体を室内側に押圧するように調整することが可能となる。
【００６３】
さらに、ガス導入部１ｂに大幅部１ｄを設けることにより、カーテンエアバッグ１Ｂの折畳体を車両に取り付ける際の取付誤差にも対応可能となる。即ち、カーテンエアバッグ１Ｂの折畳体を車両に取り付ける際に、該折畳体の取付位置が車両前後方向に多少ずれても、この大幅部１ｄをＢピラー１２の上方においてカーテンエアバッグ本体部１Ａの折畳体と車体メンバとの間に配置することができる。これにより、カーテンエアバッグ１Ｂの折畳体の取付位置に多少の誤差があっても、該カーテンエアバッグ１Ｂの膨張時に、膨張したガス導入部１ｂ（大幅部１ｄ）によって確実にカーテンエアバッグ本体部１Ａの折畳体を室内側に押圧することができる。この結果、カーテンエアバッグ１Ｂの折畳体を車両に取り付ける際の要求取付精度を緩和することも可能である。
【００６４】
なお、この実施の形態は、Ｂピラー１２の上方部に配置されたガス導入部１ｂの基端側に大幅部１ｄを設けた例を示しているが、前述の第８図（ａ）〜（ｃ）のようにガス導入部１ｂが他のピラーの上方部に設けられた場合にも、ガス導入部１ｂに大幅部１ｄを設けてもよい。
【００６５】
この実施の形態では、ガス導入部１ｂの基端側に大幅部１ｄを設けているが、大幅部１ｄの配置はこれに限定されない。例えば、ガス導入部１ｂの上下方向の途中部に大幅部１ｄを設けてもよい。
【００６６】
上記実施の形態では、インフレータをガス導入部に直結しているが、インフレータとガス導入部とをダクトを介して接続してもよい。
【符号の説明】
【００６７】
１，１’，１’’，１’’’，１Ｂ  カーテンエアバッグ
１Ａ  カーテンエアバッグ本体部
１ｂ  ガス導入部
２  結束バンド
３  インフレータ
１０  ルーフサイド部
１１  ルーフサイドガーニッシュ
１２  Ｂピラー
１３  Ｂピラーガーニッシュ
【図１】
0005556356.tif 000002
【図２】
0005556356.tif 000003
【図３】
0005556356.tif 000004
【図４】
0005556356.tif 000005
【図５】
0005556356.tif 000006
【図６】
0005556356.tif 000007
【図７】
0005556356.tif 000008
【図８】
0005556356.tif 000009
【図９】
0005556356.tif 000010
【図１０】
0005556356.tif 000011